(57)【特許請求の範囲】
【請求項１】
第１のトランジスタと、第２のトランジスタと、第３のトランジスタと、ｎ（ｎは２以上の整数）個の容量と、光電変換素子と、を有し、
前記光電変換素子は、前記第１のトランジスタのゲートに電荷を供給する機能を有し、
前記第２のトランジスタは、前記第１のトランジスタのゲートにリセット電位を供給する機能を有し、
１フレーム期間において、前記第３のトランジスタは、信号出力線への前記ｎ個の信号の出力を制御する機能を有し、
前記ｎ個の容量に前記ｎ個の信号のそれぞれが保持され、
前記ｎ個の容量は、サンプルホールド回路に設けられており、かつ、共通の配線により放電が制御され、
前記共通の配線は、前記サンプルホールド回路に設けられたｎ個のトランジスタのそれぞれのゲートに電気的に接続されており、
前記ｎ個のトランジスタのそれぞれのソースとドレインとの間には、前記ｎ個の容量のうち対応する一が電気的に接続されており、
前記リセット電位が供給されている期間は、前記ｎ個の信号のうちのいずれの信号が出力されている期間よりも長いことを特徴とする半導体装置。
【請求項２】
請求項１に記載の半導体装置と、ＦＰＣとを有することを特徴とする電子機器。
【発明の詳細な説明】
【技術分野】
【０００１】
本発明は、半導体装置の駆動方法に関する。より詳細には、半導体基板上又は絶縁表面
上に作製されたトランジスタを有するアクティブマトリクス型半導体装置の駆動方法に関
する。
【背景技術】
【０００２】
イメージセンサ機能を有する半導体装置には、光電変換素子と該光電変換素子を制御す
る一つまたは複数のトランジスタが設けられる。光電変換素子としては、ＰＮ型のフォト
ダイオードが用いられる場合が多い。その他には、ＰＩＮ型のフォトダイオード、アバラ
ンシェ型ダイオード、ｎｐｎ埋め込み型ダイオード、ショットキー型ダイオード、フォト
トランジスタ、Ｘ線用のフォトコンダクタ、及び赤外線用のセンサなどがある。
【０００３】
イメージセンサ機能を有する半導体装置は、大別してＣＣＤ型とＣＭＯＳ型に分類され
る。ＣＭＯＳ型の半導体装置は、増幅用回路を搭載していないものはパッシブ型、増幅用
回路を搭載しているものはアクティブ型に分類される。増幅用回路は、光電変換素子が読
み取った被写体の画像信号を増幅したりする機能を有しているため、ノイズなどの影響を
受けにくく、増幅用回路が搭載されたアクティブ型のＣＭＯＳ型半導体装置は多く採用さ
れている。
【０００４】
アクティブ型のCMOS型の半導体装置は、光電変換素子の出力端子に入力インピーダンス
の高い増幅用回路の入力端子を接続している。そのため、被写体の情報を読み取る領域を
劣化させることがなく、何回でも該被写体の情報を読み取ることが可能である。これを一
般的に非破壊読み出しとよぶ。
【０００５】
この非破壊読み出しを利用して、蓄積時間の異なる信号を出力させることによりダイナ
ミックレンジ（明暗比）を拡大する方法が研究されている。一例として挙げると、“O.Ya
did-Pecht et. al., Proc. SPIE,vol.2654,pp82-92,1996”にて報告されているように、
ソース信号線駆動回路を画素部の上下に一つずつ配置して、蓄積時間の異なる信号をそれ
ぞれに出力する方法が研究されている。また他の例としては、“ISSCC99:p308:A 640x512
CMOS Image Sensor with Ultra Wide Dynamic Range Floating-Point Pixel-Level ADC
”にて報告されているように、蓄積時間をＴ、２Ｔ、４Ｔ、・・・、(2K)×Ｔ（ここでＴ
はフレーム期間を示す）のように２のべき乗で変化させて読み取る方法が研究されている
。
【０００６】
なお本明細書において、蓄積時間とは、画素に設けられた光電変換素子が初期化されて
から、画素から信号を出力する時までの期間を指す。光電変換素子の受光部に光を照射し
、信号を蓄積している時間のことでもあり、露光時間ともよばれる時間のことを指す。
【０００７】
図３に光電変換素子が設けられた半導体装置の概略図の一例を示す。図３の半導体装置
は、画素部１０４、画素部１０４の周辺に配置されたソース信号線駆動回路１０１、ゲー
ト信号線駆動回路１０２、リセット信号線駆動回路１０３を有している。ソース信号線駆
動回路１０１は、バイアス用回路１０１ａ、サンプルホールド回路１０１ｂ、信号出力線
駆動回路１０１ｃ、最終出力増幅用回路１０１ｄを有する。
【０００８】
画素部１０４は、マトリクス状に配置された複数の画素１００を有している。
なお本明細書において、画素部１０４には、ｘ列（縦）×ｙ行（横）個の画素１００がマ
トリクス状に設けられているとする。
【０００９】
図４には、ｉ行ｊ列目に設けられた画素１００の回路図を示す。画素１００は、信号出
力線（Ｓ１〜Ｓｘ）のいずれか１つと、電源線（ＶＢ1〜ＶＢｘ）のいずれか１つと、ゲ
ート信号線（Ｇ１〜Ｇｙ）のいずれか１つと、リセット信号線（Ｒ１〜Ｒｙ）のいずれか
１つとを有している。また、画素１００は、スイッチング用トランジスタ１１２と、増幅
用トランジスタ１１３と、リセット用トランジスタ１１４と、光電変換素子１１１とを有
している。
【００１０】
図３、図４に示す半導体装置のそれぞれの画素１００に設けられた光電変換素子１１
１は、被写体から反射した光が照射されることによって、その電位を変化させる。
【００１１】
この状態において、ゲート信号線（Ｇｉ）が選択されると、ゲート信号線（Ｇｉ）に
接続されたスイッチング用トランジスタ１１２がオン状態になり、光電変換素子１１１の
電位に応じた信号が、スイッチング用トランジスタ１１２を介して信号出力線（Ｓｊ）に
出力される。そして、信号出力線（Ｓｊ）に出力された信号は、ソース信号線駆動回路１
０１に送られる。
【００１２】
ここで、上述した構成を有する半導体装置の駆動方法について、図１５を用いて説明す
る。図１５において、横軸は時間の経過を示す。なお本明細書において、リセット信号線
Ｒ（Ｒ１〜Ｒｙのうちのいずれか一つ）にリセット信号が印加されてから、再びリセット
信号が印加されるまでの期間を１フレーム期間（Ｆ）
とする。また本明細書において、リセット信号線Ｒに信号を印加して、次の行のリセット
信号線Ｒに信号を印加する期間を水平走査期間（Ｐ）とする。
【００１３】
まず、リセット信号線駆動回路１０３から１行目のリセット信号線（Ｒ１）に入力され
るリセット信号によってリセット信号線（Ｒ１）が選択される。なお本明細書において、
リセット信号線が選択されるとは、該リセット信号線に接続されている全てのリセット用
トランジスタ１１４がオンの状態になることを意味する。つまりここでは、リセット信号
線（Ｒ１）に接続されている全ての画素（１行目の画素）のリセット用トランジスタ１１
４がオンの状態になる。そうすると、１行目の光電変換素子１１１が初期化される。
【００１４】
リセット信号線（Ｒ１）の選択が終了すると同時に、次の行のリセット信号線（Ｒ２）
が選択される。そして、リセット信号線（Ｒ２）に接続されている全ての画素のリセット
用トランジスタ１１４がオンの状態になり、２行目の画素が有する光電変換素子１１１が
初期化される。
【００１５】
このようにして順に、全てのリセット信号線（Ｒ１〜Ｒｙ）が選択されていく。そして
、選択されたリセット信号線Ｒに接続された画素１００が有する光電変換素子１１１が初
期化される。
【００１６】
次いでゲート信号線（Ｇ１〜Ｇｙ）に印加される信号について説明する。１行目のリセ
ット信号線（Ｒ１）にリセット信号が入力されてから、６個の水平走査期間（６×Ｐ）が
経過すると、ゲート信号線駆動回路１０２からゲート信号線（Ｇ１）に入力されるゲート
信号によって、ゲート信号線（Ｇ１）が選択される。
そうすると、ゲート信号線（Ｇ１）に接続されたスイッチング用トランジスタ１１２がオ
ンの状態となり、１行目の画素１００により信号が信号出力線（Ｓ１〜Ｓｘ）に出力され
る。なお、この場合における画素１００により出力された信号の蓄積時間（Ｌ）は、６個
の水平走査期間（６×Ｐ）である。
【００１７】
次いで、ゲート信号線駆動回路１０２から２行目のゲート信号線（Ｇ２）に入力される
ゲート信号によって、２行目のゲート信号線（Ｇ２）が選択される。そうすると、ゲート
信号線（Ｇ２）に接続されたスイッチング用トランジスタ１１２がオンの状態となり、２
行目の画素１００により信号が信号出力線（Ｓ１〜Ｓｘ）に出力される。この場合におけ
る画素１００により出力された信号の蓄積時間（Ｌ）は、６個の水平走査期間（６×Ｐ）
である。
【００１８】
このようにして順に、全てのゲート信号線（Ｇ１〜Ｇｙ）が選択されていく。
そして、選択されたゲート信号線（Ｇ１〜Ｇｙ）に接続された画素１００の信号が信号出
力線（Ｓ１〜Ｓｘ）に出力される。図１５から分かるように、本駆動方法を用いると、画
素１００により出力された画素１００の信号の蓄積時間（Ｌ）
は、全て同じであり、６個の水平走査期間（６×Ｐ）となっている。
【００１９】
次いで、図１６を用いてゲート信号線（Ｇ１〜Ｇｙ）に出力されるゲート信号とのタイ
ミングと、リセット信号線（Ｒ１〜Ｒｙ）に出力されるリセット信号のタイミングと、ｉ
行ｊ列目の画素１００に設けられた光電変換素子１１１の電位との関係について説明する
。
【００２０】
始めに、リセット信号線駆動回路１０３からリセット信号線（Ｒｉ）に入力されるリセ
ット信号によってリセット信号線（Ｒｉ）が選択される。そうするとリセット信号線（Ｒ
ｉ）に接続されている全ての画素１００（ｉ行目の画素１００）のリセット用トランジス
タ１１４がオンの状態になる。そうすると、ｉ行目の画素１００が有する光電変換素子１
１１が初期化される。
【００２１】
光電変換素子１１１が初期化された後、光電変換素子１１１に光が照射されていると、
光強度に応じた電荷が光電変換素子１１１に発生する。そして、リセット動作により光電
変換素子１１１に充電された電荷が、徐々に放電され、光電変換素子１１１のｎチャネル
型端子の電位が低くなってくる。
【００２２】
図１６に示すように、光電変換素子１１１に明るい光が照射されている場合は、放電さ
れる量が多いため、光電変換素子１１１のｎチャネル型端子の電位は低くなる。一方、光
電変換素子１１１に暗い光が照射されている場合は、放電される量が少なく、光電変換素
子１１１のｎチャネル型端子の電位は、明るい光が照射されている場合に比べると、あま
り低くなっていない。
【００２３】
そして、リセット信号線（Ｒｉ）にリセット信号が入力されてから、６個の水平走査期
間（６×Ｐ）が経過すると、ゲート信号線駆動回路１０２からｊ行目のゲート信号線（Ｇ
ｉ）に入力されるゲート信号によって、ゲート信号線（Ｇｉ）
が選択される。そうすると、ゲート信号線（Ｇｉ）に接続されたスイッチング用トランジ
スタ１１２がオンの状態となり、光電変換素子１１１のｎチャネル型端子の電位を信号と
して読み出す。この信号は、光電変換素子１１１に照射された光の強度に比例している。
【００２４】
なお、非常に明るい光が照射された場合は、光電変換素子１１１のｎチャネル型端子の
電位が低くなってくるが、その電位が電源基準線１２１の電位まで低くなると、電位は変
化しなくなる。このような状況を飽和と呼ぶ。
【００２５】
また光電変換素子１１１は、蓄積時間において、照射された光によって生成される電荷
を蓄積している。よって、蓄積時間が異なると、たとえ同じ光強度の光であっても、光に
よって生成される電荷の総量が異なるため、信号値も異なる。
例えば、強い光が光電変換素子１１１に照射された場合は、短い蓄積時間で飽和してしま
う。また、弱い光が光電変換素子１１１に照射された場合であっても、蓄積時間が長いと
、いずれは飽和状態に達する。つまり信号は、光電変換素子１１１に照射される光の強さ
と蓄積時間との積によって決定する。
【００２６】
図１６において、ゲート信号が入力された時点では、暗い光が照射された光電変換素子
１１１の電位は、リセット信号が入力された時点に比べて少し低下しているが、まだ飽和
状態には及ばない。
【００２７】
一方、明るい光が照射された光電変換素子１１１は既に飽和状態になっている。この場
合には、画素１００から出力される信号を正確に読み取ることが出来ない。そのため、明
るい光が照射された光電変換素子１１１を有する画素１００の信号を読み取る際の蓄積時
間はもう少し短い方が好ましい。
【発明の概要】
【発明が解決しようとする課題】
【００２８】
上述した駆動方法を用いると、画素１００から出力される信号の蓄積時間（Ｌ）は全て
６個の水平走査期間（６×Ｐ）となっており、言い換えると、画素１００から出力される
信号は、全て同じ蓄積時間でしか出力出来なかった。
【００２９】
そのため、画素１００に照射される光強度が強い場合には、光電変換素子１１１の電位
が飽和状態になることがあり、被写体の情報を正確に読み取ることが出来なかった。また
画素１００に照射される光強度が弱い場合には、光電変換素子１１１の電位の変化が微弱
であるため、画素１００から出力される信号にあまり違いがなく、被写体の情報を正確に
読み取ることが出来なかった。
【００３０】
また、“O.Yadid-Pecht et. al., Proc. SPIE,vol.2654,pp82-92,1996”にて報告され
た方法を用いた場合、画素から出力される信号の蓄積時間は、２種類のみであった。しか
も、駆動回路を画素部の上下に一つずつ配置しているため、駆動回路部が大型化してしま
うという欠点もあった。
【００３１】
また、“ISSCC99:p308:A 640x512 CMOS Image Sensor with Ultra Wide Dynamic Range
Floating-Point Pixel-Level ADC”にて報告された方法を用いた場合、画素から出力さ
れる信号の蓄積時間をＴ、２Ｔ、４Ｔ、・・・、(2K)×Ｔのように変化させている。その
結果、ｋが増加すると、読み取り時間がとても長くなってしまうという欠点が存在した。
例えばｋ＝３の場合（ダイナミックレンジを８倍にする場合）には、通常の読み取り時間
に比べて８倍の読み取り時間が必要となっていた。
【課題を解決するための手段】
【００３２】
上述した従来技術の課題を解決するために、本発明においては以下の手段を講じた。図１
７を用いて本発明の駆動方法について説明する。
【００３３】
図１７において、横軸は時間の経過を示している。また図１７には、従来の駆動方法に
よるゲート信号線Ｇａ、Ｇ（ａ＋１）に印加される信号のタイミングチャートと、本願の
駆動方法によるゲート信号線（Ｇａ〜Ｇ（ａ＋１））、ゲート信号線（Ｇｂ〜Ｇ（ｂ＋２
））、ゲート信号線（Ｇｃ〜Ｇ（ｃ＋２））とに印加される信号のタイミングチャートを
示す。なお、ａ、ｂ、ｃはともに自然数とする。
【００３４】
図１７に示すように、従来の駆動方法においては、水平走査期間（Ｐ）にゲート信号線
（Ｇ１〜Ｇｙ）のいずれか一本が選択される。つまり、１フレーム期間には、ｙ回（ゲー
ト信号線（Ｇ１〜Ｇｙ）の本数と同じ数）の垂直走査が行われていた。
【００３５】
一方、本発明の駆動方法においては、水平走査期間（Ｐ）にゲート信号線（Ｇ１〜Ｇｙ
）のいずれか３本が選択され、１フレーム期間に（３×ｙ）回の垂直走査を行う。なお１
水平走査期間（Ｐ）に３本のゲート信号線（Ｇ１〜Ｇｙ）を同時に選択すると、同じ信号
出力線（Ｓ１〜Ｓｘ）に接続している画素のうちの３つの画素から出力される信号が、同
じ信号出力線（Ｓ１〜Ｓｘ）に出力されるため、信号が混ざってしまう。そのため、本発
明では水平走査期間（Ｐ）を３つに分割する。そしてそれぞれを第１サブ水平走査期間、
第２サブ水平走査期間、第３サブ水平走査期間とする。そしてそれぞれのサブ水平走査期
間において、ゲート信号線（Ｇ１〜Ｇｙ）のいずれか一本を選択する。そうすると、信号
出力線（Ｓ１〜Ｓｘ）に画素から出力される信号が混ざることなく、１水平走査期間（Ｐ
）中に最大で３本のゲート信号線（Ｇ１〜Ｇｙ）を選択することが出来る。
【００３６】
なおここでは水平走査期間（Ｐ）を３つに分割した例を示すが、本発明はこれに限定さ
れず、水平走査期間（Ｐ）は設計者の任意の数に分割することが出来る。
【００３７】
また第１サブ水平走査期間において、ゲート信号線駆動回路から、ゲート信号線Ｇ（Ｇ
１〜Ｇｙのうちのいずれか一つ）に印加される信号を第１サブゲート信号とし、第２サブ
水平走査期間において、ゲート信号線駆動回路から、ゲート信号線Ｇに印加される信号を
第２サブゲート信号とする。また、第３サブ水平走査期間において、ゲート信号線駆動回
路から、ゲート信号線Ｇに印加される信号を第３サブゲート信号とする。
【００３８】
図１９に示すように、ある水平走査期間（Ｐ）においては、第１サブ水平走査期間にお
いて、ａ行目のゲート信号線（Ｇａ）が選択され、第２サブ水平走査期間において、ｂ行
目のゲート信号線（Ｇｂ）が選択され、第３サブ水平走査期間において、ｃ行目のゲート
信号線（Ｇｃ）が選択される。
【００３９】
そして、次の水平走査期間（Ｐ）においては、第１サブ水平走査期間において、（ａ＋
１）行目のゲート信号線（Ｇａ）が選択され、第２サブ水平走査期間において、（ｂ＋１
）行目のゲート信号線（Ｇｂ）が選択され、第３サブ水平走査期間において、（ｃ＋１）
行目のゲート信号線（Ｇｃ）が選択される。
【００４０】
このようにして順に全てのゲート信号線（Ｇ１〜Ｇｙ）が、第１サブ水平走査期間、第
２サブ水平走査期間、および第３サブ水平走査期間のそれぞれの期間において選択される
。言い換えると、全てのゲート信号線（Ｇ１〜Ｇｙ）に順に第１サブゲート信号、第２サ
ブゲート信号、および第３サブゲート信号を印加させる。本発明では、ゲート信号線（Ｇ
１〜Ｇｙ）に、第１サブゲート信号、第２サブゲート信号、および第３サブゲート信号が
印加されるタイミングを変化させる。その結果、光電変換素子を有する画素からは、複数
の信号が出力され、さらにその複数の信号の蓄積時間はそれぞれ異なる。
【００４１】
すなわち本発明では、水平走査期間（Ｐ）をｎ個（ｎは自然数）に分割することにより
、１フレーム期間内において、（ｎ×ｙ）回の水平走査を行うことが出来るため、読み取
り時間が長くなってしまうことを防ぐことが出来る。またそれぞれの画素からは、ｎ個の
信号を出力することが出来、さらに複数の信号の蓄積時間はそれぞれ異なる。そのため、
画素１００に照射された光強度に適した信号を選択することが可能となる。
【発明の効果】
【００４２】
本発明の駆動方法では、水平走査期間（Ｐ）を分割することにより、１フレーム期間内
において、同じ画素から複数の信号を出力することが出来るため、読み取り時間が長くな
ってしまうことを防ぐことが出来、さらにダイナミックレンジを拡大することが出来る。
なお水平走査期間（Ｐ）は、任意の数に分割できるため、蓄積時間が異なる信号を出力す
ることは容易に実現出来る。      
【図面の簡単な説明】
【００４３】
【図１】本発明の半導体装置の駆動方法を説明する図。
【図２】光電変換素子の電位と時間との関係を説明する図。
【図３】本発明の半導体装置の概略図。
【図４】本発明の半導体装置の画素の回路図を示す図。
【図５】本発明の半導体装置のソース信号線駆動回路を説明する図。
【図６】本発明の半導体装置のソース信号線駆動回路を説明する図。
【図７】本発明の半導体装置のソース信号線駆動回路を説明する図。
【図８】本発明の半導体装置のソース信号線駆動回路を説明する図。
【図９】本発明の半導体装置のソース信号線駆動回路を説明する図。
【図１０】本発明の半導体装置のソース信号線駆動回路を説明する図。
【図１１】本発明の半導体装置のソース信号線駆動回路を説明する図。
【図１２】本発明の半導体装置の断面構造を示す図。
【図１３】本発明の半導体装置の上面図および断面図。
【図１４】本発明の半導体装置を適用することが出来る電子機器の一例を示す図。
【図１５】従来の半導体装置の駆動方法を説明する図。
【図１６】光電変換素子の電位と時間との関係を説明する図。
【図１７】本発明の半導体装置の駆動方法を説明する図。
【発明を実施するための形態】
【００４４】
（実施の形態１）
本発明の駆動方法は、光電変換素子を有するどのような半導体装置にも適用される。図
３、図４には、本発明が適用される半導体装置の一例を示す。
【００４５】
図３の半導体装置は、画素部１０４、画素部１０４の周辺に配置されたソース信号線駆
動回路１０１、ゲート信号線駆動回路１０２、リセット信号線駆動回路１０３を有してい
る。ソース信号線駆動回路１０１は、バイアス用回路１０１ａ、サンプルホールド回路１
０１ｂ、信号出力線駆動回路１０１ｃ、及び最終出力増幅用回路１０１ｄを有する。
【００４６】
なお、図３にはソース信号線駆動回路１０１が、バイアス用回路１０１ａ、サンプルホ
ールド回路１０１ｂ、信号出力線駆動回路１０１ｃ、及び最終出力増幅用回路１０１ｄが
設けられた例を示したが、本発明はこれに限定されない。ソース信号線駆動回路１０１に
ついては、実施例において詳しく説明する。
【００４７】
画素部１０４は、マトリクス状に配置された複数の画素１００を有している。
なお本明細書において、画素部１０４には、ｘ列（縦）×ｙ行（横）個の画素１００がマ
トリクス状に設けられているとする。
【００４８】
図４には、ｉ行ｊ列目に設けられた画素１００の回路図を示す。画素１００は、信号出
力線（Ｓ１〜Ｓｘ）のいずれか１つと、電源線（ＶＢ1〜ＶＢｘ）のいずれか１つと、ゲ
ート信号線（Ｇ１〜Ｇｙ）のいずれか１つと、リセット信号線（Ｒ１〜Ｒｙ）のいずれか
１つとを有している。また、画素１００は、スイッチング用トランジスタ１１２と、増幅
用トランジスタ１１３と、リセット用トランジスタ１１４と、光電変換素子１１１とを有
している。
【００４９】
光電変換素子１１１は、ｎチャネル型端子、ｐチャネル型端子、およびｎチャネル型
端子とｐチャネル型端子の間に設けられている光電変換層を有している。ｐチャネル型端
子及びｎチャネル型端子の一方は、電源基準線１２１に接続されており、もう一方は増幅
用トランジスタ１１３のゲート電極に接続されている。
【００５０】
スイッチング用トランジスタ１１２のゲート電極はゲート信号線（Ｇｉ）に接続され
ている。そしてスイッチング用トランジスタ１１２のソース領域及びドレイン領域は、一
方は増幅用トランジスタ１１３のソース領域に接続されており、もう一方は信号出力線（
Ｓｊ）に接続されている。スイッチング用トランジスタ１１２は、光電変換素子１１１の
信号を出力するときのスイッチング素子として機能するトランジスタである。
【００５１】
増幅用トランジスタ１１３のドレイン領域は電源線（ＶＢｊ）に接続されている。そ
して増幅用トランジスタ１１３のソース領域はスイッチング用トランジスタ１１２のソー
ス領域又はドレイン領域に接続されている。増幅用トランジスタ１１３は、画素部１０４
の下部に設けられたバイアス用トランジスタ（図示せず）とソースフォロワ回路を形成す
る。そのため、増幅用トランジスタ１１３とバイアス用トランジスタの極性は同じである
方がよい。
【００５２】
リセット用トランジスタ１１４のゲート電極は、リセット信号線（Ｒｉ）に接続されて
いる。リセット用トランジスタ１１４のソース領域とドレイン領域は、一方は電源線（Ｖ
Ｂｊ）に接続されており、もう一方は、光電変換素子１１１及び増幅用トランジスタ１１
３のゲート電極に接続されている。リセット用トランジスタ１１４は、光電変換素子１１
１を初期化（リセット）するための素子（スイッチング素子）として機能するトランジス
タである。
【００５３】
なお図４に示す画素１００の構成はあくまで一例であり、本発明はこれに限定されない
。例えば、図４に示す画素１００に、１つのトランジスタ（転送用トランジスタ）を追加
してもよく、そのような構成を有する半導体装置に本発明を適用することも出来る。また
光電変換素子１１１として、フォトダイオードやフォトゲートなどを用いてもよい。つま
り、画素１００はどのような構成でもよく、画素１００が有するトランジスタやコンデン
サの数、及びそれらの接続の構成は特に限定されない。また、画素１００の構成に応じて
、ゲート信号線駆動回路１０２、リセット信号線駆動回路１０３などの駆動回路の数を変
化させてもよく、半導体装置に設けられる駆動回路の数は特に限定されない。
【００５４】
次いで、上述した構成を有する半導体装置に適用した本発明の駆動方法について、図１
、図２を用いて説明する。
【００５５】
図１において、横軸は時間の経過を示しており、またリセット信号線（Ｒ１〜Ｒｙ）、
ゲート信号線（Ｇ１〜Ｇｙ）とに印加される信号のタイミングチャートを示す。なお本実
施例においては、ｙは１４とするが、本発明はこれに限定されず、リセット信号線（Ｒ１
〜Ｒｙ）とゲート信号線（Ｇ１〜Ｇｙ）の数（ｙの値）は設計者が任意に定めることがで
きる。
【００５６】
なお本明細書において、リセット信号線Ｒ（Ｒ１〜Ｒｙのうちのいずれか一つ）にリセ
ット信号が印加されてから、再びリセット信号が印加されるまでの期間を１フレーム期間
（Ｆ）とする。また本明細書において、リセット信号線Ｒに信号を印加して、次の列のリ
セット信号線Ｒに信号を印加する期間を水平走査期間（Ｐ）とする。そして、水平走査期
間（Ｐ）を３つに分割した期間をそれぞれ第１サブ水平走査期間、第２サブ水平走査期間
、第３サブ水平走査期間とする。
【００５７】
また第１サブ水平走査期間において、ゲート信号線駆動回路１０２から、ゲート信号線
Ｇ（Ｇ１〜Ｇｙのうちのいずれか一つ）に印加される信号を第１サブゲート信号とし、第
２サブ水平走査期間において、ゲート信号線駆動回路１０２から、ゲート信号線Ｇに印加
される信号を第２サブゲート信号とする。また、第３サブ水平走査期間において、ゲート
信号線駆動回路１０２から、ゲート信号線Ｇに印加される信号を第３サブゲート信号とす
る。
【００５８】
まず、リセット信号線駆動回路１０３から１行目のリセット信号線（Ｒ１）に入力され
るリセット信号によってリセット信号線（Ｒ１）が選択される。そうすると、リセット信
号線（Ｒ１）に接続されている全ての画素（１行目の画素）のリセット用トランジスタ１
１４がオンの状態になり、１行目の画素１００が有する光電変換素子１１１が初期化され
る。
【００５９】
リセット信号線（Ｒ１）の選択が終了すると同時に、２行目のリセット信号線（Ｒ２）
が選択される。そして、リセット信号線（Ｒ２）に接続されている全ての画素１００のリ
セット用トランジスタ１１４がオンの状態になり、２行目の画素１００が有する光電変換
素子１１１が初期化される。
【００６０】
このようにして順に、全てのリセット信号線（Ｒ１〜Ｒｙ）が選択されていく。そして
、選択されたリセット信号線Ｒに接続された画素１００が有する光電変換素子１１１が初
期化される。
【００６１】
次いでゲート信号線（Ｇ１〜Ｇｙ）に印加される信号のタイミングチャートについて説
明する。
【００６２】
１行目のリセット信号線（Ｒ１）にリセット信号が入力されてから、３個の水平走査期
間（３×Ｐ）が経過すると、ゲート信号線駆動回路１０２から１行目のゲート信号線（Ｇ
１）に入力される第１サブゲート信号によって、ゲート信号線（Ｇ１）が選択される。そ
うすると、ゲート信号線（Ｇ１）に接続されたスイッチング用トランジスタ１１２がオン
の状態となり、１行目の画素１００により信号が信号出力線（Ｓ１〜Ｓｘ）に出力される
。なお、この場合における画素１００により出力された信号の蓄積時間（Ｌ）は、３個の
水平走査期間（３×Ｐ）である。
【００６３】
次いで、ゲート信号線駆動回路１０２から１２行目のゲート信号線（Ｇ１２）
に入力される第２サブゲート信号によって、ゲート信号線（Ｇ１２）が選択される。そう
すると、ゲート信号線（Ｇ１２）に接続されたスイッチング用トランジスタ１１２がオン
の状態となり、１２行目の画素１００により信号が信号出力線（Ｓ１〜Ｓｘ）に出力され
る。
【００６４】
また、ゲート信号線駆動回路１０２からｂ行目（ｂは自然数）のゲート信号線（Ｇｂ）
（図示せず）に入力される第３サブゲート信号によって、ゲート信号線（Ｇｂ）が選択さ
れる。そうすると、ゲート信号線（Ｇｂ）に接続されたスイッチング用トランジスタ１１
２がオンの状態となり、ｂ行目の画素１００により信号が信号出力線（Ｓ１〜Ｓｘ）に出
力される。
【００６５】
このようにして、第１サブゲート信号は１行目のゲート信号線（Ｇ１）に第１サブ水平
走査期間において出力され、第２サブゲート信号は１２行目のゲート信号線（Ｇ１２）に
第２サブ水平走査期間において出力され、第３サブゲート信号はｂ行目のゲート信号線（
Ｇｂ）に第３サブ水平走査期間において出力される。
そして、第１サブ水平走査期間、第２サブ水平走査期間、及び第３サブ水平走査期間を合
わせた期間が１水平走査期間（Ｐ）となる。
【００６６】
次いで、リセット信号線（Ｒ１）にリセット信号が入力されてから、４個の水平走査期
間（４×Ｐ）が経過すると、ゲート信号線駆動回路１０２から２行目のゲート信号線（Ｇ
２）に入力される第１サブゲート信号によって、ゲート信号線（Ｇ２）が選択される。そ
うすると、ゲート信号線（Ｇ２）に接続されたスイッチング用トランジスタ１１２がオン
の状態となり、２行目の画素１００により信号が信号出力線（Ｓ１〜Ｓｘ）に出力される
。なお、この場合における２行目の画素１００により出力された信号の蓄積時間（Ｌ）は
、３個の水平走査期間（３×Ｐ）である。
【００６７】
次いで、ゲート信号線駆動回路１０２から１３行目のゲート信号線（Ｇ１３）
に入力される第２サブゲート信号によって、ゲート信号線（Ｇ１３）が選択される。そう
すると、ゲート信号線（Ｇ１３）に接続されたスイッチング用トランジスタ１１２がオン
の状態となり、１３行目の画素１００により信号が信号出力線（Ｓ１〜Ｓｘ）に出力され
る。
【００６８】
また、ゲート信号線駆動回路１０２から７行目のゲート信号線（Ｇ７）に入力される第
３サブゲート信号によって、ゲート信号線（Ｇ７）が選択される。そうすると、ゲート信
号線（Ｇ７）に接続されたスイッチング用トランジスタ１１２がオンの状態となり、７行
目の画素１００により信号が信号出力線（Ｓ１〜Ｓｘ）に出力される。
【００６９】
このようにして、第１サブゲート信号は２行目のゲート信号線（Ｇ２）に第１サブ水平
走査期間において出力され、第２サブゲート信号は１３行目のゲート信号線（Ｇ１３）に
第２サブ水平走査期間において出力され、第３サブゲート信号は７行目のゲート信号線（
Ｇ７）に第３サブ水平走査期間において出力される。
【００７０】
そして、リセット信号線（Ｒ１）にリセット信号が入力されてから、６個の水平走査期
間（６×Ｐ）が経過すると、ゲート信号線駆動回路１０２からゲート信号線（Ｇ１）に入
力される第２サブゲート信号によって、ゲート信号線（Ｇ１）
が選択される。そうすると、ゲート信号線（Ｇ１）に接続されたスイッチング用トランジ
スタ１１２がオンの状態となり、１行目の画素１００により出力された信号が信号出力線
（Ｓ１〜Ｓｘ）に出力される。この場合における画素１００により出力された信号の蓄積
時間（Ｌ）は、６個の水平走査期間（６×Ｐ）である。
【００７１】
次いで、ゲート信号線駆動回路１０２から９行目のゲート信号線（Ｇ９）に入力される
第３サブゲート信号によって、ゲート信号線（Ｇ９）が選択される。そうすると、ゲート
信号線（Ｇ９）に接続されたスイッチング用トランジスタ１１２がオンの状態となり、９
行目の画素１００により信号が信号出力線（Ｓ１〜Ｓｘ）に出力される。
【００７２】
そして、リセット信号線（Ｒ１）にリセット信号が入力されてから、１２個の水平走査
期間（１２×Ｐ）が経過すると、ゲート信号線駆動回路１０２からゲート信号線（Ｇ１）
に入力される第３サブゲート信号によって、ゲート信号線（Ｇ１）が選択される。そうす
ると、ゲート信号線（Ｇ１）に接続されたスイッチング用トランジスタ１１２がオンの状
態となり、１行目の画素１００により信号が信号出力線（Ｓ１〜Ｓｘ）に出力される。こ
の場合における画素１００により出力された信号の蓄積時間（Ｌ）は、１２個の水平走査
期間（１２×Ｐ）である。
【００７３】
このようにして、第１サブ水平走査期間において、ゲート信号線（Ｇ１〜Ｇｙ）のいず
れか一つに第１サブゲート信号が入力され、第２サブ水平走査期間において、ゲート信号
線（Ｇ１〜Ｇｙ）のいずれか一つに第２サブゲート信号が入力され、第３サブ水平走査期
間において、ゲート信号線（Ｇ１〜Ｇｙ）のいずれか一つに第３サブゲート信号が入力さ
れるという動作が繰り返される。このとき、ある水平走査期間において、第１サブゲート
信号が入力されるゲート信号線（Ｇ１〜Ｇｙ）、第２サブゲート信号が入力されるゲート
信号線（Ｇ１〜Ｇｙ）、および第３サブゲート信号が入力されるゲート信号線（Ｇ１〜Ｇ
ｙ）はそれぞれ異なる。
【００７４】
そして順に、全てのゲート信号線（Ｇ１〜Ｇｙ）が第１サブ水平走査期間、第２サブ水
平走査期間、及び第３サブ水平走査期間においてそれぞれ選択される。
その結果、全てのゲート信号線（Ｇ１〜Ｇｙ）に第１サブゲート信号、第２サブゲート信
号、及び第３サブゲート信号がそれぞれ入力される。
【００７５】
そして１フレーム期間（Ｆ）が経過すると、再びリセット信号線駆動回路１０３からリ
セット信号線（Ｒ１）に入力されるリセット信号によってリセット信号線（Ｒ１）が選択
される。そして、図１に示すような上述した動作を繰り返す。
【００７６】
なお、リセット信号線（Ｒ１〜Ｒｙ）にリセット信号が入力されてから、ゲート信号線
（Ｇ１〜Ｇｙ）に第１サブゲート信号が入力されるまでの期間（本実施の形態では３×Ｐ
）、第２サブゲート信号が入力されるまでの期間（本実施の形態では６×Ｐ）、第３サブ
ゲート信号が入力されるまでの期間（本実施の形態では１２×Ｐ）はそれぞれ異なる。そ
の結果、画素１００により３個の信号を出力することができ、さらにその３個の信号の蓄
積時間は異なっている。
【００７７】
なお、第１サブゲート信号は、ゲート信号線駆動回路１０２から第１サブ水平走査期間
の期間にのみ出力され、第２サブゲート信号は第２サブ水平走査期間の期間にのみ出力さ
れ、第３サブゲート信号は第３サブ水平走査期間の期間にのみ出力される。そのため、例
えばリセット信号線（Ｒ１）にリセット信号が入力されてから、６個の水平走査期間（６
×Ｐ）が経過した後に画素１００により出力された信号の蓄積時間（Ｌ）は、正確には６
個の水平走査期間（６×Ｐ）と、１個のサブ水平走査期間とを足した期間となる。しかし
、サブ水平走査期間は蓄積時間（Ｌ）と比較すると十分小さいため、本明細書において、
上記のような場合における蓄積時間（Ｌ）は、６個の水平走査期間（６×Ｐ）と見なすこ
とにする。
【００７８】
また実施の形態では、水平走査期間（Ｐ）を３つに均等に分割したが、本発明はこれに
限定されない。水平走査期間（Ｐ）は設計者が任意の数に分割することができる。
【００７９】
また本実施の形態では、蓄積時間（Ｌ）が３×Ｐ、６×Ｐ、１２×Ｐの２のべき乗倍ず
つになるように信号を出力したが、本発明はこれに限定されない。例えば蓄積時間（Ｌ）
を２倍ずつになるように信号を出力するようにしてもよいし、１０倍ずつになるように信
号を出力するようにしてもよい。
【００８０】
（実施の形態２）
次いで、図２を用いて第１サブゲート信号、第２サブゲート信号、第３サブゲート信号
がゲート信号線（Ｇ１〜Ｇｙ）に出力されるタイミングと、リセット信号がリセット信号
線（Ｒ１〜Ｒｙ）に出力されるタイミングと、光電変換素子１１１の電位との関係につい
て説明する。なお本実施の形態においては、一例として、ｉ行ｊ列目に設けられた画素１
００について説明する。
【００８１】
始めに、リセット信号線駆動回路１０３からｉ行目のリセット信号線（Ｒｉ）
に入力されるリセット信号によってリセット信号線（Ｒｉ）が選択される。そうするとリ
セット信号線（Ｒｉ）に接続されている全ての画素（ｉ行目の画素）のリセット用トラン
ジスタ１１４がオンの状態になる。そうすると、ｉ行目の画素が有する光電変換素子１１
１が初期化される。
【００８２】
そして、リセット信号線（Ｒｉ）にリセット信号が入力されてから、３個の水平走査期
間（３×Ｐ）が経過すると、ゲート信号線駆動回路１０２からｉ行目のゲート信号線（Ｇ
ｉ）に入力される第１サブゲート信号によって、ゲート信号線（Ｇｉ）が選択される。そ
うすると、ゲート信号線（Ｇｉ）に接続されたスイッチング用トランジスタ１１２がオン
の状態となり、光電変換素子１１１のｎチャネル型端子の電位を信号として読み出す。こ
の信号は、光電変換素子１１１に照射された光の強度に比例している。
【００８３】
次いで、リセット信号線（Ｒｉ）にリセット信号が入力されてから、６個の水平走査期
間（６×Ｐ）が経過すると、ゲート信号線駆動回路１０２からｉ行目のゲート信号線（Ｇ
ｉ）に入力される第２サブゲート信号によってゲート信号線（Ｇｉ）が選択される。そう
すると、ゲート信号線（Ｇｉ）に接続されたスイッチング用トランジスタ１１２がオンの
状態となり、光電変換素子１１１のｎチャネル型端子の電位を信号として読み出す。
【００８４】
次いで、リセット信号線（Ｒｉ）にリセット信号が入力されてから、１２個の水平走査
期間（１２×Ｐ）が経過すると、ゲート信号線駆動回路１０２からｉ行目のゲート信号線
（Ｇｉ）に入力される第３サブゲート信号によってゲート信号線（Ｇｉ）が選択される。
そうすると、ゲート信号線（Ｇｉ）に接続されたスイッチング用トランジスタ１１２がオ
ンの状態となり、光電変換素子１１１のｎチャネル型端子の電位を信号として読み出す。
【００８５】
そして、１フレーム期間（Ｆ）が経過すると、リセット信号線駆動回路１０３から（ｉ
＋１）行目のリセット信号線（Ｒ（ｉ＋１））に入力されるリセット信号によってリセッ
ト信号線（Ｒ（ｉ＋１））が選択される。そして、再びリセット用トランジスタ１１４を
オンの状態にして光電変換素子１１１をリセットし、上述の動作を繰り返していく。
【００８６】
本発明により、１フレーム期間において、複数の信号が画素１００から出力され、その
複数の信号の蓄積時間はそれぞれ異なっている。図２では、実線で示す光電変換素子１１
１の電位は暗い光が照射された場合であり、点線で示す光電変換素子１１１の電位は明る
い光が照射された場合を示している。
【００８７】
図２において、第１サブゲート信号が入力された時点では、明るい光が照射された光電
変換素子１１１の電位と、暗い光が照射された光電変換素子１１１の電位には大きな差は
ない。
【００８８】
しかし、第２サブゲート信号が入力された時点では、明るい光が照射された光電変換素
子１１１は既に飽和状態に近くなっている。それに対して、暗い光が照射された光電変換
素子１１１の電位は、第１サブゲート信号が入力された時点に比べて少し低下しているが
、まだ飽和状態には及ばない。
【００８９】
第３サブゲート信号が入力された時点では、既に明るい光が照射された光電変換素子１
１１は既に飽和状態にある。一方、暗い光が照射された光電変換素子１１１の電位は飽和
状態に近くなっている。
【００９０】
画素１００から出力される信号は、画素１００が有する光電変換素子１１１に照射され
る光の強さ（光電変換素子１１１の電位）と蓄積時間との積によって決定することは上述
した。つまり、暗い光が照射された光電変換素子１１１を有する画素１００の信号は、第
３サブゲート信号が入力された時点の光電変換素子１１１の電位と、蓄積時間（１２×Ｐ
）との積によって決定されることが好ましい。これは第１サブゲート信号が入力された時
点、第２サブゲート信号が入力された時点では、未だ飽和状態には及ばないためある。
【００９１】
また明るい光が照射された光電変換素子１１１を有する画素１００の信号は、第２サブ
ゲート信号が入力された時点の光電変換素子１１１の電位と蓄積時間（６×Ｐ）との積に
よって決定されることが好ましい。これは第１サブゲート信号が入力された時点では、飽
和状態には及ばない状態であり、一方第３サブゲート信号が入力された時点では、既に飽
和状態になっているためである。
【００９２】
本発明の駆動方法を用いることにより、１フレーム期間内に、画素から複数の信号を出
力することができ、さらにその複数の信号はそれぞれ蓄積時間が異なっている。そのため
、その複数の信号から、画素に照射された光強度に適した信号を選択することが出来る。
【実施例１】
【００９３】
本実施例では、図３に示したソース信号線駆動回路１０１について詳しく説明する。ソ
ース信号線駆動回路１０１は、バイアス用回路１０１ａ、サンプルホールド回路１０１ｂ
、信号出力用駆動回路１０１ｃ、最終出力増幅用回路１０１ｄを有している。なお、本発
明はこれに限定されず、ソース信号線駆動回路１０１には、アナログ・デジタル信号変換
回路や雑音低減回路などを設けてもよい。
【００９４】
バイアス用回路１０１ａは、それぞれの画素が有する増幅用トランジスタと対になって
、ソースフォロワ回路を形成する。サンプルホールド回路１０１ｂは、信号をいったん保
存したり、アナログ・デジタル変換を行ったり、雑音を低減する回路を有する。また、信
号出力用駆動回路１０１ｃは、一時的に保存されていた信号を、順に出力していくための
信号を出力する回路を有する。そして、最終出力増幅用回路１０１ｄは、サンプルホール
ド回路１０１ｂと信号出力用駆動回路１０１ｃにより出力された信号を増幅する回路を有
する。なお、最終出力増幅用回路１０１ｄは、信号を増幅する必要のない場合には設けな
くてもよい。
【００９５】
バイアス用回路１０１ａ、サンプルホールド回路１０１ｂおよび信号出力線用駆動回路
１０１ｃのｊ列目周辺部分１０１ｅの回路図を図５に示す。なお、本実施例では、全ての
トランジスタがｎチャネル型トランジスタとするが、本発明はこれに限定されず、トラン
ジスタはｎチャネル型でもｐチャネル型でもどちらでもよい。
【００９６】
バイアス用回路１０１ａは、バイアス用トランジスタ２１０ａを有している。
バイアス用トランジスタ２１０ａは、各画素の増幅用トランジスタと同じ極性を有し、ソ
ースフォロワ回路を形成する。バイアス用トランジスタ２１０ａのゲート電極は、バイア
ス信号線２００に接続されている。バイアス用トランジスタ２１０ａのソース領域とドレ
イン領域は、一方は信号出力線（Ｓｊ）に接続されており、もう一方は電源基準線２１０
ｂに接続されている。なお本実施例では、ｎチャネル型トランジスタをバイアス用トラン
ジスタ２１０ａに用いた場合を示したが、本発明はこれに限定されない。例えば、ｐチャ
ネル型トランジスタをバイアス用トランジスタ２１０ａと増幅用トランジスタに用いるこ
ともできるが、その場合には、バイアス用トランジスタ２１０ａは電源基準線ではなく電
源線に接続される。
【００９７】
サンプルホールド回路１０１ｂは、転送用トランジスタ２１１、２１２、２１３と、放
電用トランジスタ２１４ａ、２１５ａ、２１６ａと、出力用トランジスタ２１７、２１８
、２１９とを有する。転送用トランジスタ２１１、２１２、２１３のゲート電極は、それ
ぞれ転送用信号線２０１、２０２、２０３に接続されている。
【００９８】
転送用トランジスタ２１１、２１２、２１３のソース領域とドレイン領域は、一方は信
号出力線（Ｓｊ）に接続され、もう一方は放電用トランジスタ２１４ａ、２１５ａ、２１
６ａのソース領域及びドレイン領域の一方に接続されている。
転送用トランジスタ２１１、２１２、２１３がオン状態になると、信号出力線（Ｓｊ）の
電位がコンデンサ２１４ｂ、２１５ｂ、２１６ｂに保持される。
【００９９】
なお本実施例では、ｎチャネル型トランジスタを転送用トランジスタ２１１、２１２、
２１３に用いた場合を示したが、本発明はこれに限定されない。例えば、ｐチャネル型ト
ランジスタとｎチャネル型トランジスタを並列に接続して、それらのトランジスタを転送
用トランジスタとして用いてもよい。
【０１００】
コンデンサ２１４ｂは放電用トランジスタ２１４ａのソース領域及びドレイン領域と電
源基準線２１４ｃに接続されている。放電用トランジスタ２１４ａのゲート電極は、放電
用信号線２０４に接続されている。
【０１０１】
コンデンサ２１５ｂは放電用トランジスタ２１５ａのソース領域及びドレイン領域と電
源基準線２１５ｃに接続されている。放電用トランジスタ２１５ａのゲート電極は、放電
用信号線２０５に接続されている。
【０１０２】
コンデンサ２１６ｂは放電用トランジスタ２１６ａのソース領域及びドレイン領域と電
源基準線２１６ｃに接続されている。放電用トランジスタ２１６ａのゲート電極は、放電
用信号線２０６に接続されている。
【０１０３】
なおコンデンサ２１４ｂ、２１５ｂ、２１６ｂには、信号出力線（Ｓｊ）から出力され
た信号が一時的に保持される。また放電用トランジスタ２１４ａ、２１５ａ、２１６ａが
オン状態になることによって、コンデンサ２１４ｂ、２１５ｂ、２１６ｂの電荷を電源基
準線２１４ｃ、２１５ｃ放電して初期化させる。
【０１０４】
本実施例では、コンデンサ２１４ｂには、ｊ列目に設けられた複数の画素１００のうち
、第１サブゲート信号が入力された画素１００から出力された信号が一時的に保持される
とする。またコンデンサ２１５ｂには、第２サブゲート信号が入力された画素１００から
出力された信号が一時的に保持され、コンデンサ２１６ｂには第３サブゲート信号が入力
された画素１００から出力された信号が一時的に保持されるとする。
【０１０５】
２１７、２１８、２１９は出力用トランジスタである。出力用トランジスタ２１７のソ
ース領域とドレイン領域は、一方はコンデンサ２１４ｂに接続され、他方は最終出力用ト
ランジスタ２２０のソース領域とドレイン領域の一方に接続されている。また出力用トラ
ンジスタ２１７のゲート電極は、出力用信号線２０７に接続されている。
【０１０６】
出力用トランジスタ２１８のソース領域とドレイン領域は、一方はコンデンサ２１５ｂ
に接続され、他方は最終出力用トランジスタ２２０のソース領域とドレイン領域の一方に
接続されている。また出力用トランジスタ２１８のゲート電極は、出力用信号線２０８に
接続されている。
【０１０７】
出力用トランジスタ２１９のソース領域とドレイン領域は、一方はコンデンサ２１６ｂ
に接続され、他方は最終出力用トランジスタ２２０のソース領域とドレイン領域の一方に
接続されている。また、出力用トランジスタ２１９のゲート電極は、出力用信号線２０９
に接続されている。
【０１０８】
最終出力用トランジスタ２２０のソース領域とドレイン領域の他方は最終出力線２２２
に接続されている。そして最終出力用トランジスタ２２０のゲート電極は最終選択線（Ｓ
Ｓｊ）に接続されている。
【０１０９】
２２１ａは最終リセット用トランジスタであり、２２１ｂは電源基準線である。最終リ
セット用トランジスタ２２１ａのソース領域とドレイン領域は、一方は電源基準線２２１
ｂに接続され、他方は最終出力線２２２に接続されている。また最終リセット用トランジ
スタ２２１ａのゲート電極は最終リセット線ＳＲｊに接続されている。なお最終リセット
用トランジスタ２２１ａがオン状態になることによって、最終出力線２２２の電位を、電
源基準線２２１ｂの電位に初期化させる。
【０１１０】
次いで図５に示したソース信号線駆動回路１０１のタイミングチャートを、図６を用い
て説明する。図６において、リセット信号線（Ｒ１〜Ｒｙ）にリセット信号が印加されて
から、再びリセット信号が印加されるまでの期間を１フレーム期間（Ｆ）とする。そして
、リセット信号線（Ｒ１〜Ｒｙ）に信号を印加して、次の列のリセット信号線（Ｒ１〜Ｒ
ｙ）に信号を印加するまでの期間を水平走査期間（Ｐ）とする。水平走査期間（Ｐ）は、
第１サブ水平走査期間、第２サブ水平走査期間、第３サブ水平走査期間の３つに分割され
る。
【０１１１】
第１サブ水平走査期間において、転送用信号線２０１が選択され、転送用信号線２０１
に接続された転送用トランジスタ２１１がオンの状態になる。そうすると、第１サブゲー
ト信号が入力された画素１００から出力された信号がコンデンサ２１４ｂに一時的に保持
される。また同様に、出力用信号線２０９が選択され、出力用信号線２０９に接続された
出力用トランジスタ２１９がオンの状態になる。そうすると、コンデンサ２１６ｂに保持
されていた信号が最終出力線２２２に出力される。
【０１１２】
次いで、第２サブ水平走査期間において、転送用信号線２０２が選択され、転送用信号
線２０２に接続された転送用トランジスタ２１２がオンの状態になる。
そうすると、第２サブゲート信号が入力された画素１００から出力された信号がコンデン
サ２１５ｂに一時的に保持される。また同様に、出力用信号線２０７が選択され、出力用
信号線２０７に接続された出力用トランジスタ２１７がオンの状態になる。そうすると、
コンデンサ２１４ｂに保持されていた信号が最終出力線２２２に出力される。
【０１１３】
次いで、第３サブ水平走査期間において、転送用信号線２０３が選択され、転送用信号
線２０３に接続された転送用トランジスタ２１３がオンの状態になる。
そうすると、第３サブゲート信号が入力された画素１００から出力された信号がコンデン
サ２１６ｂに一時的に保持される。また同様に、出力用信号線２０８が選択され、出力用
信号線２０８に接続された出力用トランジスタ２１８がオンの状態になる。そうすると、
コンデンサ２１５ｂに保持されていた信号が最終出力線２２２に出力される。
【０１１４】
なおそれぞれのサブ水平走査期間では、最終リセット線（ＳＲ１〜ＳＲｘ）と最終出力
線（ＳＳ１〜ＳＳｘ）とが交互に選択される。本実施例では、第１サブ水平走査期間にお
いては、コンデンサ２１６ｂに保持されていた信号が最終出力線２２２に出力され、第２
サブ水平走査期間においては、コンデンサ２１４ｂに保持されていた信号が最終出力線２
２２に出力され、第３サブ水平走査期間においては、コンデンサ２１６ｂに保持された信
号が最終出力線２２２に出力される。
【０１１５】
ここで、サブ水平走査期間における最終リセット線（ＳＲ１〜ＳＲｘ）と、最終出力線
（ＳＳ１〜ＳＳｘ）に印加する信号のタイミングチャートについて説明する。なお本実施
例では、第２サブ水平走査期間を例に挙げて説明する。
【０１１６】
第２サブ水平走査期間においては、転送用信号線２０２と、出力用信号線２０７が選択
される。そして１列目の最終リセット線（ＳＲ１）を選択する。そうすると、最終リセッ
ト用トランジスタ２２１ａがオンの状態となり、最終出力線２２２がある電位値までに初
期化される。そして、１列目の最終選択線（ＳＳ１）
を選択され、最終選択用トランジスタ２２０がオンの状態となる。そうすると、１列目の
コンデンサ２１４ｂに一時的に保持されていた信号が最終出力線２２２に出力される。
【０１１７】
次いで、２列目の最終リセット線（ＳＲ２）を選択すると、最終リセット用トランジス
タ２２１ａがオンの状態となり、最終出力線２２２をある電位値までに初期化する。そし
て、２列目の最終選択線（ＳＳ２）が選択されると、最終選択用トランジスタ２２０がオ
ンの状態となる。そうすると、２行目のコンデンサ２１４ｂに一時的に保持されていた信
号が最終出力線２２２に出力される。
【０１１８】
そして最終出力線２２２に出力された信号は、最終出力増幅用回路１０１ｄで増幅され
、外部へ出力される。
【０１１９】
このようにして順に、全ての最終リセット線（ＳＲ１〜ＳＲｘ）と最終出力線（ＳＳ１
〜ＳＳｘ）とが交互に選択されていく。そうすると、全ての列のコンデンサ２１４ａに保
持されていた信号が最終出力線２２２に出力される。
【０１２０】
次いで、放電用信号線２０４が選択される。そして、放電用信号線２０４に接続された
全ての放電用トランジスタ２１４ａがオンの状態になり、放電用トランジスタ２１４ａに
接続された全てのコンデンサ２１４ｂが、電源基準線２１４ｃの電位まで初期化される。
【０１２１】
なお本実施例では、コンデンサ２１４ｂに保持された信号が読み出された直後に、放電
用信号線２０４を選択して、コンデンサ２１４ｂを初期化した場合を示したが、本発明は
これに限定されない。放電用信号線２０４を選択するタイミングは特に限定されない。
【０１２２】
なおコンデンサ２１４ｂを初期化する場合には、放電用信号線２０４を選択し、コンデ
ンサ２１５ｂを初期化する場合には、放電用信号線２０５を選択し、コンデンサ２１６ｂ
を初期化する場合には、放電用信号線２０６を選択する。そうすると、放電用信号線２０
４、２０５、２０６に接続された放電用トランジスタ２１４ａ、２１５ａ、２１６ａがそ
れぞれオン状態になり、電源基準線２１４ｃ、２１５ｃ、２１６ｃの電位まで初期化され
る。
【０１２３】
なお本実施例では、実施の形態において水平走査期間（Ｐ）を３つに分割した例を示し
たため、１列に３つのコンデンサを設けた例を示したが、本発明はこれに限定されない。
１列に設けられるコンデンサの数は設計者が自由に決めることが可能である。しかし、１
水平走査期間を複数のサブ水平走査期間に分割する場合には、１水平走査期間に複数行分
の信号が出力される。そのため、信号を保存しておくためのコンデンサは、それぞれの列
で複数個（サブ水平走査期間数）あることが望ましい。
【０１２４】
本実施例は、実施の形態１、２と自由に組み合わせることが可能である。    
【実施例２】
【０１２５】
本実施例では、実施例１とは異なるソース信号線駆動回路１０１の例について説明する
。バイアス用回路１０１ａ、サンプルホールド回路１０１ｂおよび信号出力線用駆動回路
１０１ｃのｊ列目周辺部分１０１ｅの回路図を図７に示す。なお、本実施例では、全ての
トランジスタがｎチャネル型トランジスタとするが、本発明はこれに限定されず、トラン
ジスタはｎチャネル型でもｐチャネル型でもどちらでもよい。
【０１２６】
バイアス用回路１０１ａは、バイアス用トランジスタ３１０ａを有している。
バイアス用トランジスタ３１０ａは、各画素の増幅用トランジスタと同じ極性を有し、ソ
ースフォロワ回路を形成する。バイアス用トランジスタ３１０ａのゲート電極は、バイア
ス信号線３００に接続されている。バイアス用トランジスタ３１０ａのソース領域および
ドレイン領域は、一方は信号出力線（Ｓｊ）に接続されており、もう一方は電源基準線３
１０ｂに接続されている。
【０１２７】
なお本実施例では、ｎチャネル型トランジスタをバイアス用トランジスタ３１０ａに用
いた場合を示したが、本発明はこれに限定されない。例えば、ｐチャネル型トランジスタ
をバイアス用トランジスタ３１０ａと増幅用トランジスタに用いることもできるが、その
場合には、バイアス用トランジスタ３１０ａは電源基準線ではなく電源線に接続される。
【０１２８】
サンプルホールド回路１０１ｂは、転送用トランジスタ３１１、３１２、３１３と、放
電用トランジスタ３１４ａ、３１５ａ、３１６ａと、最終選択用トランジスタ３１７、３
１８、３１９と、最終リセット用トランジスタ３２１ａ、３２２ａ、３２３ａとを有する
。
【０１２９】
転送用トランジスタ３１１、３１２、３１３のゲート電極は、転送用信号線３０１、３
０２、３０３にそれぞれ接続されている。
【０１３０】
転送用トランジスタ３１１、３１２、３１３のソース領域とドレイン領域は、一方は信
号出力線（Ｓｊ）に接続され、もう一方はコンデンサ３１４ｂ、３１５ｂ、３１６ｂと放
電用トランジスタ３１４ａ、３１５ａ、３１６ａのソース領域及びドレイン領域の一方に
接続されている。転送用トランジスタ３１１、３１２、３１３がオン状態になると、信号
出力線（Ｓｊ）の電位がコンデンサ３１４ｂ、３１５ｂ、３１６ｂに転送される。
【０１３１】
なお、本実施例では、ｎチャネル型トランジスタを転送用トランジスタ３１１、３１２
、３１３に用いた場合を示したが、本発明はこれに限定されない。例えば、ｐチャネル型
トランジスタとｎチャネル型トランジスタを並列に接続して、それらのトランジスタを転
送用トランジスタとして用いてもよい。
【０１３２】
コンデンサ３１４ｂは放電用トランジスタ３１４ａのソース領域及びドレイン領域と電
源基準線３１４ｃに接続されている。放電用トランジスタ３１４ａのゲート電極は、放電
用信号線３０５に接続されている。
【０１３３】
コンデンサ３１５ｂは放電用トランジスタ３１５ａのソース領域及びドレイン領域と電
源基準線３１５ｃに接続されている。放電用トランジスタ３１５ａのゲート電極は、放電
用信号線３０５に接続されている。
【０１３４】
コンデンサ３１６ｂは放電用トランジスタ３１６ａのソース領域及びドレイン領域と電
源基準線３１６ｃに接続されている。放電用トランジスタ３１６ａのゲート電極は、放電
用信号線３０５に接続されている。
【０１３５】
なおコンデンサ３１４ｂ、３１５ｂ、３１６ｂは、信号出力線（Ｓｊ）から出力された
信号を一時的に保持する。また放電用トランジスタ３１４ａ、３１５ａ、３１６ａは、コ
ンデンサ３１４ｂ、３１５ｂ、３１６ｂの電荷を放電して、電源基準線３１４ｃ、３１５
ｃ、３１６ｃの電位まで初期化させる。
【０１３６】
本実施例では、コンデンサ３１４ｂには、第１サブゲート信号が入力された画素１００
から出力された信号が一時的に保持されるとする。またコンデンサ３１５ｂには、第２サ
ブゲート信号が入力された画素１００から出力された信号が一時的に保持され、コンデン
サ３１６ｂには第３サブゲート信号が入力された画素１００から出力された信号が一時的
に保持されるとする。
【０１３７】
３１７、３１８、３１９は最終選択用トランジスタである。最終選択用トランジスタ３
１７、３１８、３１９のゲート電極は最終選択線（ＳＳｊ）に接続されている。
【０１３８】
最終選択用トランジスタ３１７のソース領域とドレイン領域は、一方はコンデンサ３１
４ｂに接続され、他方は最終出力線３０７に接続されている。最終選択用トランジスタ３
１８のソース領域とドレイン領域は、一方はコンデンサ３１５ｂに接続され、他方は最終
出力線３０８に接続されている。最終選択用トランジスタ３１９のソース領域とドレイン
領域は、一方はコンデンサ３１６ｂに接続され、他方は最終出力線３０９に接続されてい
る。
【０１３９】
３２１ａ、３２２ａ、３２３ａは最終リセット用トランジスタであり、３２１ｂ、３２
２ｂ、３２３ｂは電源基準線である。最終リセット用トランジスタ３２１ａ、３２２ａ、
３２３ａのゲート電極は最終リセット線（ＳＲｊ）に接続されている。そして、最終リセ
ット用トランジスタ３２１ａのソース領域とドレイン領域は、一方は電源基準線３２１ｂ
に接続され、他方は最終出力線３０７に接続されている。
【０１４０】
最終リセット用トランジスタ３２２ａのソース領域とドレイン領域は、一方は電源基準
線３２２ｂに接続され、他方は最終出力線３０８に接続されている。また、最終リセット
用トランジスタ３２３ａのソース領域とドレイン領域は、一方は電源基準線３２３ｂに接
続され、他方は最終出力線３０９に接続されている。
【０１４１】
なお最終リセット線（ＳＲ１〜ＳＲｘ）は、最終出力線３０７、３０８、３０９を初期
化するために設けられている。最終リセット線（ＳＲ１〜ＳＲｘ）のいずれか一つが選択
され、最終リセット用トランジスタ２２１ａがオンの状態になると、最終出力線３０７、
３０８、３０９のそれぞれの電位は、電源基準線３２１ｂ、３２２ｂ、３２３ｂの電位に
初期化される。
【０１４２】
次いで図７に示したソース信号線駆動回路１０１のタイミングチャートを、図８を用い
て説明する。図７において、リセット信号線（Ｒ１〜Ｒｙ）にリセット信号が印加されて
から、再びリセット信号が印加されるまでの期間を１フレーム期間（Ｆ）とする。そして
、リセット信号線（Ｒ１〜Ｒｙ）に信号を印加して、次の列のリセット信号線（Ｒ１〜Ｒ
ｙ）に信号を印加するまでの期間を水平走査期間（Ｐ）とする。
【０１４３】
なお、本実施例のソース信号線駆動回路の駆動方法においては、水平走査期間（Ｐ）は
、サンプリング期間とシフトレジスタ動作期間に分割される。そして、サンプリング期間
は、第１サブサンプリング期間、第２サブサンプリング期間、第３サブサンプリング期間
の３つに分割される。
【０１４４】
第１サブサンプリング期間においては、転送用信号線３０１が選択される。転送用信号
線３０１が選択されると、転送用信号線３０１に接続された転送用トランジスタ３１１が
オンの状態になる。そうすると、第１サブゲート信号が入力された画素１００から出力さ
れた信号がコンデンサ３１４ｂに一時的に保持される。
【０１４５】
次いで、第２サブサンプリング期間において、転送用信号線３０２が選択され、転送用
信号線３０２に接続された転送用トランジスタ３１２がオンの状態になる。そうすると、
第２サブゲート信号が入力された画素１００から出力された信号がコンデンサ３１５ｂに
一時的に保持される。
【０１４６】
次いで、第３サブサンプリング期間において、転送用信号線３０３が選択され、転送用
信号線３０３に接続された転送用トランジスタ３１３がオンの状態になる。そうすると、
第３サブゲート信号が入力された画素１００から出力された信号がコンデンサ２１６ｂに
一時的に保持される。以上でサンプリング期間は終了する。
【０１４７】
次いで、シフトレジスタ動作期間においては、コンデンサ３１４ｂ、３１５ｂ、３１６
ｂのそれぞれに保持された信号が最終出力線３０７、３０８、３０９に出力される。
【０１４８】
まず１列目の最終リセット線（ＳＲ１）を選択する。最終リセット線（ＳＲ１）を選択
すると、１列目の最終リセット線（ＳＲ１）に接続された最終リセット用トランジスタ３
２１ａ、３２２ａ、３２３ａがオンの状態となり、最終出力線３０７、３０８、３０９が
電源基準線３２１ｂ、３２２ｂ、３２３ｂの電位まで初期化される。
【０１４９】
次いで１列目の最終選択線（ＳＳ１）を選択する。最終選択線（ＳＳ１）が選択すると
、１列目の最終選択線（ＳＳ１）に接続された最終選択用トランジスタ３１７、３１８、
３１９がオンの状態となる。そうすると、１列目のコンデンサ３１４ｂ、３１５ｂ、３１
６ｂに一時的に保持されていた信号が最終出力線３０７、３０８、３０９に出力される。
【０１５０】
次いで、２列目の最終リセット線（ＳＲ２）を選択する。最終リセット線（ＳＲ２）を
選択すると、２列目の最終リセット線（ＳＲ２）に接続された最終リセット用トランジス
タ３２１ａ、３２２ａ、３２３ａがオンの状態となり、最終出力線３０７、３０８、３０
９が電源基準線３２１ｂ、３２２ｂ、３２３ｂの電位まで初期化される。
【０１５１】
次いで２列目の最終選択線（ＳＳ２）を選択する。最終選択線（ＳＳ２）を選択すると
、２列目の最終選択線（ＳＳ２）に接続された最終選択用トランジスタ３１７、３１８、
３１９がオンの状態となる。そうすると、２列目のコンデンサ３１４ｂ、３１５ｂ、３１
６ｂに一時的に保持されていた信号が最終出力線３０７、３０８、３０９に出力される。
【０１５２】
このようにして順に、全ての最終リセット線（ＳＲ１〜ＳＲｘ）と最終出力線（ＳＳ１
〜ＳＳｘ）とが交互に選択されていく。そうすると、全ての列のコンデンサ３１４ｂ、３
１５ｂ、３１６ｂに保持されていた信号が最終出力線３０７、３０８、３０９に出力され
る。
【０１５３】
そして最後に放電用信号線３０５が選択され、放電用信号線３０５に接続された全ての
放電用トランジスタ３１４ａ、３１５ａ、３１６ａがオンの状態になり、放電用トランジ
スタ３１４ａ、３１５ａ、３１６ａに接続された全ての列のコンデンサ３１４ｂ、３１５
ｂ、３１６ｂが、電源基準線３１４ｃ、３１５ｃ、３１６ｃの電位まで初期化される。
【０１５４】
なお最終出力線３０７、３０８、３０９に出力された信号は、最終出力増幅用回路１０
１ｄで増幅され、外部へ出力される。
【０１５５】
なお本実施例では、上述した実施の形態において水平走査期間を３つに分割した例を示
したため、１列に３つのコンデンサ（３１４ｂ、３１５ｂ、３１６ｂ）
を設けた例を示したが、本発明はこれに限定されない。１列に設けられるコンデンサの数
は設計者が自由に決めることが可能である。しかし、１水平走査期間を複数のサブ水平走
査期間に分割する場合には、１水平走査期間に複数列分の信号が出力される。そのため、
信号を保存しておくためのコンデンサは、それぞれの列で複数個（サブ水平走査期間数）
あることが望ましい。
【０１５６】
本実施例は、実施の形態１、２、および実施例１と自由に組み合わせることが可能であ
る。    
【実施例３】
【０１５７】
本実施例では、ソース信号線駆動回路１０１の実施例１、２とは異なる例について、図
９、１０を用いて説明する。
【０１５８】
バイアス用回路１０１ａ、サンプルホールド回路１０１ｂおよび信号出力線用駆動回路
１０１ｃのｊ列目周辺部分１０１ｅの回路図を図９に示す。なお、本実施例では、全ての
トランジスタがｎチャネル型トランジスタとするが、本発明はこれに限定されず、トラン
ジスタはｎチャネル型でもｐチャネル型でもどちらでもよい。
【０１５９】
バイアス用回路１０１ａは、バイアス用トランジスタ５５１０ａを有している。バイア
ス用トランジスタ５５１０ａは、各画素の増幅用トランジスタ１１３と同じ極性を有し、
ソースフォロワ回路を形成する。バイアス用トランジスタ５５１０ａのゲート電極は、バ
イアス信号線５５１１に接続されている。バイアス用トランジスタ５５１０ａのソース領
域およびドレイン領域は、一方は信号出力線（Ｓｊ）に接続されており、もう一方は電源
基準線５５１０ｂに接続されている。
【０１６０】
なお本実施例では、ｎチャネル型トランジスタをバイアス用トランジスタ５５１０ａに
用いた場合を示したが、本発明はこれに限定されない。例えば、ｐチャネル型トランジス
タをバイアス用トランジスタ５５１０ａに用いることもできるが、その場合には、バイア
ス用トランジスタ５５１０ａは電源基準線ではなく電源線に接続される。
【０１６１】
転送用トランジスタ５５１２のゲート電極は、転送用信号線５５１３に接続されている
。転送用トランジスタ５５１２のソース領域とドレイン領域は、一方は信号出力線（Ｓｊ
）に接続され、もう一方は容量選択用トランジスタ５５１４ｄ、５５３０ｄ、５５３１ｄ
のソース領域又はドレイン領域の一方に接続されている。転送用トランジスタ５５１２が
オン状態になると、信号出力線（Ｓｊ）の電位を容量選択用トランジスタ５５１４ｄ、５
５３０ｄ、５５３１ｄを介してコンデンサ５５１４ｂ、５５３０ｂ、５５３１ｂに保持さ
れる。
【０１６２】
なお、本実施例では、ｎチャネル型トランジスタを転送用トランジスタ５５１２に用い
た場合を示したが、本発明はこれに限定されない。例えば、ｐチャネル型トランジスタと
ｎチャネル型トランジスタを並列に接続して、それらのトランジスタを転送用トランジス
タとして用いてもよい。
【０１６３】
コンデンサ５５１４ｂは容量選択用トランジスタ５５１４ｄのソース領域及びドレイン
領域の一方と電源基準線５５１４ｃに接続されている。容量選択用トランジスタ５５１４
ｄのゲート電極は、保持容量制御線５５３４に接続されている。そして容量選択用トラン
ジスタ５５１４ｄのソース領域及びドレイン領域の他方は、信号出力線（Ｓｊ）に接続さ
れている。
【０１６４】
また放電用トランジスタ５５１４ａのゲート電極は、放電用信号線５５１５に接続され
ている。そして放電用トランジスタ５５１４ａのソース領域とドレイン領域は、一方はコ
ンデンサ５５１４ｂに接続され、もう一方は電源基準線５５１４ｃにそれぞれ接続されて
いる。放電用トランジスタ５５１４ａがオン状態になることによって、コンデンサ５５１
４ｂを電源基準線５５１４ｃの電位まで初期化させる。またコンデンサ５５１４ｂは、信
号出力線（Ｓｊ）から出力された信号を一時的に蓄積する。本実施例では、ｊ列目に設け
られた複数の画素１００のうち、第１サブゲート信号が入力された画素１００の信号が一
時的に保持されるとする。
【０１６５】
コンデンサ５５３０ｂは容量選択用トランジスタ５５３０ｄのソース領域及びドレイン
領域の一方と電源基準線５５３０ｃに接続されている。容量選択用トランジスタ５５３０
ｄのゲート電極は、保持容量制御線５５３５に接続されている。そして容量選択用トラン
ジスタ５５３０ｄのソース領域及びドレイン領域の他方は、信号出力線（Ｓｊ）に接続さ
れている。
【０１６６】
また放電用トランジスタ５５３０ａのゲート電極は、放電用信号線５５３２に接続され
ている。そして放電用トランジスタ５５３０ａのソース領域とドレイン領域は、一方はコ
ンデンサ５５３０ｂに接続され、もう一方は電源基準線５５３０ｃにそれぞれ接続されて
いる。放電用トランジスタ５５３０ａがオン状態になることによって、コンデンサ５５３
０ｂを電源基準線５５３０ｃの電位まで初期化させる。またコンデンサ５５３０ｂは、信
号出力線（Ｓｊ）から出力された信号を一時的に保持する。本実施例では、ｊ列目に設け
られた複数の画素１００のうち、第２サブゲート信号が入力された画素１００の信号が一
時的に保持されるとする。
【０１６７】
コンデンサ５５３１ｂは容量選択用トランジスタ５５３１ｄのソース領域及びドレイン
領域の一方と電源基準線５５３１ｃに接続されている。容量選択用トランジスタ５５３１
ｄのゲート電極は、保持容量制御線５５３６に接続されている。そして容量選択用トラン
ジスタ５５３１ｄのソース領域及びドレイン領域の他方は、信号出力線（Ｓｊ）に接続さ
れている。
【０１６８】
また放電用トランジスタ５５３１ａのゲート電極は、放電用信号線５５３３に接続され
ている。そして放電用トランジスタ５５３１ａのソース領域とドレイン領域は、一方はコ
ンデンサ５５３１ｂに接続され、もう一方は電源基準線５５３１ｃにそれぞれ接続されて
いる。放電用トランジスタ５５３１ａがオン状態になることによって、コンデンサ５５３
１ｂを電源基準線５５３１ｃの電位まで初期化させる。またコンデンサ５５３１ｂは、信
号出力線（Ｓｊ）から出力された信号を一時的に保持する。本実施例では、ｊ列目に設け
られた複数の画素１００のうち、第３サブゲート信号が入力された画素１００の信号が一
時的に保持されるとする。
【０１６９】
そして、容量選択用トランジスタ５５１４ｄ、５５３０ｄ、５５３１ｄのソース領域及
びドレイン領域の一方には、最終選択用トランジスタ５５１６のソース領域及びドレイン
領域の一方が接続されている。そして最終選択用トランジスタ５５１６のソース領域とド
レイン領域の他方は、最終出力線５５１８に接続されている。最終選択用トランジスタ５
５１６のゲート電極は、ｊ列目最終選択線ＳＳｊに接続されている。
【０１７０】
最終選択線（ＳＳ１〜ＳＳｘ）と、最終リセット線（ＳＲ１〜ＳＲｘ）は、サンプルホ
ールド回路１０１ｂにマトリクス状に設けられており、１列目からｘ列目まで交互に選択
されていく。例えば、最終選択線ＳＳｊが選択され、最終選択用トランジスタ５５１６が
オンの状態になる。そうすると、保持容量制御線５５３４、５５３５、５５３６のいずれ
か一つが選択され、容量選択用トランジスタ５５１４ｄ、５５３０ｄ、５５３１ｄのいず
れか一つがオン状態になる。そうすると、オン状態となった容量選択用トランジスタ５５
１４ｄ、５５３０ｄ、５５３１ｄに接続されたコンデンサ５５１４ｂ、５５３０ｂ、５５
３１ｂに保持されていた信号が最終出力線５５１８に出力される。
【０１７１】
なお、最終出力線５５１８に信号を出力する前に、最終出力線５５１８に電荷が蓄積さ
れている場合がある。そうすると、該電荷によって最終出力線５５１８に信号を出力した
ときの電位は影響を受けてしまう。そこで、最終出力線５５１８に信号を出力する前に、
最終出力線５５１８の電位を、ある電位値までに初期化しておくことが必要である。その
ため最終選択線ＳＳｊを選択する前に、最終リセット線ＳＲｊを選択し、最終リセット用
トランジスタ５５１７ａをオンの状態にする。そうすると、最終出力線５５１８の電位は
電源基準線５５１７ｂの電位に初期化される。
【０１７２】
なお本実施例では、上述した実施の形態において水平走査期間を３つに分割した例を示
したため、１列に３つのコンデンサ（３１４ｂ、３１５ｂ、３１６ｂ）
を設けた例を示したが、本発明はこれに限定されない。１列に設けられるコンデンサの数
は設計者が自由に決めることが可能である。しかし、１水平走査期間を複数のサブ水平走
査期間に分割する場合には、１水平走査期間に複数列分の信号が出力される。そのため、
信号を保存しておくためのコンデンサは、それぞれの列で複数個（サブ水平走査期間数）
あることが望ましい。
【０１７３】
次いで、図９に示すｊ列目周辺回路のタイミングチャートを図１０に示す。なお本実施
例では、ｊ列目のゲート信号線（Ｇｉ）が選択された場合におけるタイミングチャートを
一例として挙げて説明する。
【０１７４】
なお本実施例では、実施例１で示したサブ水平走査期間における信号のタイミングチャ
ートを示す。また図９において、コンデンサ５５１４ｂに一時蓄積された信号が最終出力
線５５１８に出力される場合について示す。
【０１７５】
はじめに、ｉ行目のゲート信号線（Ｇｉ）が選択され、次いで放電用信号線５５１５が
選択される。そうすると、放電用トランジスタ５５１４ａがオンの状態になる。なお、ゲ
ート信号線（Ｇｉ）が選択されたサブ水平走査期間において、ゲート信号線（Ｇｉ）と同
様に保持容量制御線５５３４も選択されている。
【０１７６】
そして、転送用信号線５５１３が選択され、転送用トランジスタ５５１２がオンの状態
になると、それぞれの画素の光電変換素子から出力された信号が各行のコンデンサ５５１
４ｂに出力される。
【０１７７】
そして、各行のコンデンサ５５１４ｂに蓄積された信号は、最終出力線５５１８に順に
出力されていく。まず１行目の最終リセット線５５１９を選択すると、最終リセット用ト
ランジスタ５５１７ａをオンの状態となる。そして、最終出力線５５１８を電源基準線５
５１７ｂの電位に初期化して、１行目の最終選択線５５１９を選択する。そうすると、最
終選択用トランジスタ５５１６がオンの状態となり、１行目のコンデンサ５５１４ｂの信
号が最終出力線５５１８に出力される。
【０１７８】
次に、２行目の最終リセット線５５１９を選択し、最終リセット用トランジスタ５５１
７ａをオンの状態にし、最終出力線５５１８を電源基準線５５１７ｂの電位に初期化する
。そして、２行目の最終選択線５５１９を選択し、最終選択用トランジスタ５５１６を導
通状態にし、２行目のコンデンサ５５１４ｂの信号を最終出力線５５１８に出力する。
【０１７９】
このようにして順に、１行目からｘ行目までの最終リセット線５５１９を選択していき
、同様の動作を繰り返す。そして、全ての行の信号を最終出力線５５１８に出力していく
。そして、最終出力線５５１８に出力された信号は、最終出力増幅用回路１０１ｄで増幅
され、外部へ出力される。
【０１８０】
本実施例は、実施の形態、実施例１、２、及び実施例１、２と自由に組み合わせること
が可能である。    
【実施例４】
【０１８１】
本実施例では、図３に示した最終出力増幅用回路１０１ｄの回路を図１１（Ａ）、（Ｂ
）に示す。なお、最終出力線に出力される信号は、そのまま外部に取り出しても良い。し
かし、出力される信号が微弱である場合には、外部に取り出す前に増幅しておくことが好
ましい。また、本実施例では、最も簡単な信号増幅回路として、ソースフォロワ回路を示
すが、本発明はこれに限定されない。例えば、最終出力増幅用回路１０１ｄには演算増幅
器などの公知の増幅回路を用いてもよい。
【０１８２】
図１１（Ａ）は、ｎチャネル型のソースフォロワ回路を有する最終増幅回路１０１ｄを
示す。最終出力増幅用回路１０１ｄへの信号の入力は、最終選択用トランジスタ５５１６
を介して行われる。そして最終選択用トランジスタ５５１６のゲート電極と接続する最終
選択線（ＳＳｊ）は、画素部１０４にマトリクス状に設けられており、その１列目からｘ
列目まで順に選択される。
【０１８３】
最終出力線５５１８から出力された信号は、最終出力増幅用回路１０１ｄによって、増
幅されて外部に出力する。最終出力線５５１８は、増幅用トランジスタ５５２１のゲート
電極に接続されている。増幅用トランジスタ５５２１のドレイン領域は電源線５５２０に
接続され、ソース領域は出力端子となっている。
【０１８４】
一方、バイアス用トランジスタ５５２２のゲート電極は、最終出力増幅用バイアス信号
線５５２３に接続されている。バイアス用トランジスタ５５２２のソース領域とドレイン
領域は、一方は電源基準線５５２４に接続され、もう一方は増幅用トランジスタ５５２１
のソース領域に接続されている。
【０１８５】
次いで、図１１（Ｂ）には、ｐチャネル型のソースフォロワ回路を有する最終増幅回路
１０１ｄを示す。最終出力線５５１８は、増幅用トランジスタ５５２１のゲート電極に接
続されている。増幅用トランジスタ５５２１のドレイン領域は電源基準線５５２０に接続
され、ソース領域は出力端子となる。
【０１８６】
一方、バイアス用トランジスタ５５２２のゲート電極は、最終出力増幅用バイアス信号
線５５２３と接続されている。バイアス用トランジスタ５５２２のソース領域とドレイン
領域は、一方は電源線５５２０と接続されており、もう一方は増幅用トランジスタ５５２
１のソース領域と接続されている。なお、ｐチャネル型のソースフォロワ回路を有する図
１１（Ｂ）に示す最終出力増幅用バイアス信号線５５２３の電位は、ｎチャネル型のソー
スフォロワ回路を有する図１１（Ａ）に示すの最終出力増幅用バイアス信号線５２３の電
位とは異なる。
【０１８７】
本実施例は、実施の形態１、２、および実施例１乃至３と自由に組み合わせることが可
能である。    
【実施例５】
【０１８８】
本実施例では、本発明の光電変換素子と複数のトランジスタを一画素中に設けた半導体
装置の断面構造について図１２を用いて説明する。
【０１８９】
図１２において、６０００は絶縁表面を有する基板であり、６００１は下地膜である。
下地膜６００１上には光電変換素子１１１、増幅用トランジスタ１１３、スイッチング用
トランジスタ１１２、リセット用トランジスタ１１４が形成されている。また、駆動回路
として、ｎチャネル型トランジスタ、ｐチャネル型トランジスタを図示する。なお、それ
ぞれのトランジスタは公知の如何なる構造のトランジスタを用いてもよい。
【０１９０】
絶縁表面を有する基板６０００上に形成された各トランジスタの構造について説明する
。増幅用トランジスタ１１３において、６０２３はゲート電極、６００８はゲート絶縁膜
、６０３７はｐ型の不純物領域からなるソース領域及びドレイン領域、６０４２はソース
配線、６０４３はドレイン配線である。
【０１９１】
スイッチング用トランジスタ１１２において、６０２４はゲート電極、６００８はゲー
ト絶縁膜、６０３８はｐ型の不純物領域からなるソース領域及びドレイン領域、６０４４
はソース配線、６０４５はドレイン配線である。
【０１９２】
リセット用トランジスタ１１４において、６０２５はゲート電極、６００８はゲート絶
縁膜、６０１９はｎ型の不純物領域からなるソース領域及びドレイン領域、６０３０はＬ
ＤＤ領域（ライトドープドレイン領域）、６０４６はソース配線、６０４７はドレイン配
線である。
【０１９３】
光電変換素子１１１において、６０３６はｐ型の不純物領域からなるｐ型半導体層、６
０２０ｂはｎ型の不純物領域からなるｎ型半導体層、６０５４は非晶質半導体膜からなる
光電変換層（ｉ層）である。
【０１９４】
駆動回路部のｎチャネル型トランジスタにおいて、６０２６はゲート電極、６００８は
ゲート絶縁膜、６０２１はｎ型の不純物領域からなるソース領域及びドレイン領域、６０
３１はＬＤＤ領域（ライトドープドレイン領域）、６０５０はソース配線、６０５１はド
レイン配線である。
【０１９５】
また、駆動回路部のｐチャネル型トランジスタにおいて、６０２７はゲート電極、６０
０８はゲート絶縁膜、６０３９はｐ型の不純物領域からなるソース領域及びドレイン領域
、６０５２はドレイン配線、６０５３はソース配線である。
【０１９６】
そして、増幅用トランジスタ１１３、スイッチング用トランジスタ１１２、リセット用
トランジスタ１１４、ｎチャネル型トランジスタ、ｐチャネル型トランジスタを覆って、
第一層間絶縁膜６０４１、第二層間絶縁膜６０５９が設けられている。
【０１９７】
なお、本実施例は、実施の形態１、２、および実施例１乃至実施例４と自由に組み合わ
せることが可能である。    
【実施例６】
【０１９８】
実施例４では、本発明の半導体装置の断面構造について説明したが、本実施例では、本
発明の半導体装置を封止してＦＰＣを取り付けた状態について説明する。
【０１９９】
図１３（Ａ）は本発明を用いた半導体装置の上面図であり、図１３（Ａ）をＸ−Ｘ'面
で切断した断面図を図１３（Ｂ）に示す。図１３（Ａ）において、４００１は基板、４０
０２は画素部、４００３はソース信号線駆動回路、４００４はゲート信号線駆動回路であ
り、それぞれの駆動回路は配線４００５、４００６、４００７を経てＦＰＣ４００８に至
り、外部機器へと接続される。
【０２００】
このとき、少なくとも画素部、好ましくは駆動回路および画素部を囲むようにしてカバ
ー材４００９、密封材４０１０、シーリング材（ハウジング材ともいう）４０１１（図１
３（Ｂ）に図示）が設けられている。
【０２０１】
また、図１３（Ｂ）は本実施例の半導体装置の断面構造であり、基板４００１、下地膜
４０１２の上に駆動回路部（但し、ここではｎチャネル型ＴＦＴとｐチャネル型ＴＦＴを
組み合わせたＣＭＯＳ回路を図示している）４０１３および画素部４０１４（但し、ここ
では説明を簡単にするために光電変換素子とスイッチング用トランジスタのみを図示する
）が形成されている。
【０２０２】
公知の作製方法を用いて駆動回路部４０１３、画素部４０１４が完成したら、樹脂材料
でなる第一層間絶縁膜（平坦化膜）４０１５を形成する。
【０２０３】
次いで、樹脂材料でなる第二層間絶縁膜４０１７を形成し、第二層間絶縁膜４０１７を
覆うようにパッシベーション膜４０２２、充填材４０２３、カバー材４００９が形成され
る。
【０２０４】
さらに、カバー材４００９と基板４００１の内側にシーリング材４０１１が設けられ、さ
らにシーリング材４０１１の外側には密封材（第２のシーリング材）４０１０が形成され
る。
【０２０５】
このとき、この充填材４０２３は、カバー材４００９を接着するための接着剤としても
機能する。充填材４０２３としては、ＰＶＣ（ポリビニルクロライド）
、エポキシ樹脂、シリコン樹脂、ＰＶＢ（ポリビニルブチラル）またはＥＶＡ（エチレン
ビニルアセテート）を用いることができる。この充填材４０２３の内部に乾燥剤を設けて
おくと、吸湿効果を保持できるので好ましい。
【０２０６】
また、充填材４０２３の中にスペーサーを含有させてもよい。このとき、スペーサーを
ＢａＯなどからなる粒状物質とし、スペーサー自体に吸湿性をもたせてもよい。スペーサ
ーを設けた場合、パッシベーション膜４０２２はスペーサー圧を緩和することができる。
また、パッシベーション膜とは別に、スペーサー圧を緩和する樹脂膜などを設けてもよい
。
【０２０７】
また、カバー材４００９としては、ガラス板、アルミニウム板、ステンレス板、ＦＲＰ
（Fiberglass-Reinforced Plastics）板、ＰＶＦ（ポリビニルフルオライド）フィルム、
マイラーフィルム、ポリエステルフィルムまたはアクリルフィルムを用いることができる
。なお、充填材４０２３としてＰＶＢやＥＶＡを用いる場合、数十μmのアルミニウムホ
イルをＰＶＦフィルムやマイラーフィルムで挟んだ構造のシートを用いることが好ましい
。
【０２０８】
配線４００７は、駆動回路４０１３が有するトランジスタに接続され、また、シーリン
グ材４０１１および密封材４０１０と基板４００１との隙間を通ってＦＰＣ４００８に電
気的に接続される。なお、ここでは配線４００７について説明したが、他の配線４００５
、４００６も同様にしてシーリング材４０１１および密封材４０１０の下を通ってＦＰＣ
４００８に電気的に接続される。
【０２０９】
なお本実施例では、充填材４０２３を設けてからカバー材４００９を接着し、充填材４
０２３の側面（露呈面）を覆うようにシーリング材４０１１を取り付けているが、カバー
材４００９およびシーリング材４０１１を取り付けてから、充填材４０２３を設けても良
い。この場合、基板４００１、カバー材４００９およびシーリング材４０１１で形成され
ている空隙に通じる充填材の注入口を設ける。そして前記空隙を真空状態（１０-2Torr以
下）にし、充填材の入っている水槽に注入口を浸してから、空隙の外の気圧を空隙の中の
気圧よりも高くして、充填材を空隙の中に充填する。
【０２１０】
なお、本実施例は、実施の形態１、２、および実施例１乃至実施例５と自由に組み合わ
せることが可能である。    
【実施例７】
【０２１１】
本発明の半導体装置を用いた電子機器の実施例として、図１４を用いて説明する。
【０２１２】
図１４（Ａ）は、ラインセンサを用いたハンドスキャナーである。ＣＣＤ型（ＣＭＯＳ
型）のイメージセンサ１００１の上には、ロッドレンズアレイなどの光学系１００２が設
けられている。光学系１００２は、被写体１００４上の画像がイメージセンサ１００１上
に映し出されるようにするために用いられる。そして、ＬＥＤや蛍光灯などの光源１００
３は、被写体１００４に光を照射できる位置に設けられている。そして、被写体１００４
の下部には、ガラス１００５が設けられている。
【０２１３】
光源１００３を出た光は、ガラス１００５を介して被写体１００４に入射する。被写体
１００４で反射した光は、ガラス１００５を介して、光学系１００２に入射する。光学系
１００２に入射した光は、イメージセンサ１００１に入射し、そこで光電変換される。本
発明の半導体装置は、イメージセンサ１００１に用いることができる。
【０２１４】
図１４（Ｂ）は、１８０１は基板、１８０２は画素部、１８０３はタッチパネル、１８
０４はタッチペンである。タッチパネル１８０３は透光性を有しており、画素部１８０２
から発せられる光及び、画素部１８０２に入射する光を透過することができ、タッチパネ
ル１８０３を通して被写体上の画像を読み込むことができる。また画素部１８０２に画像
が表示されている場合にも、タッチパネル１８０３を通して、画素部１８０２上の画像を
見ることが可能である。
【０２１５】
タッチペン１８０４がタッチパネル１８０３に触れると、タッチペン１８０４とタッチ
パネル１８０３とが接している部分の位置の情報を、電気信号として半導体装置に取り込
むことができる。本実施例で用いられるタッチパネル１８０３及びタッチペン１８０４は
、タッチパネル１８０３が透光性を有していて、なおかつタッチペン１８０４とタッチパ
ネル１８０３とが接している部分の位置の情報を、電気信号として半導体装置に取り込む
ことができるものならば、公知のものを用いることができる。なお、本発明の半導体装置
は、画素部１８０２に用いることができる。
【０２１６】
図１４（Ｃ）は、図１４（Ｂ）とは異なる携帯型ハンドスキャナーであり、本体１９０
１、画素部１９０２、上部カバー１９０３、外部接続ポート１９０４、操作スイッチ１９
０５で構成されている。図１４（Ｄ）は図１４（Ｃ）と同じ携帯型ハンドスキャナーの上
部カバー１９０３を閉じた図である。
【０２１７】
画素部１９０２で読み込んだ画像信号を、外部接続ポート１９０４から携帯型ハンドス
キャナーの外部に接続されている電子機器に送り、パソコンにおいて画像を補正、合成、
編集等を行うことも可能である。なお、本発明の半導体装置は、画素部１８０２に用いる
ことができる。
【０２１８】
また、本発明の半導体装置を用いた電子機器として、ビデオカメラ、デジタルスチルカ
メラ、ノート型パーソナルコンピュータ、携帯情報端末（モバイルコンピュータ、携帯電
話、携帯型ゲーム機または電子書籍等）などが挙げられる。
【０２１９】
図１４（Ｅ）はデジタルビデオカメラであり、本体２６０１、表示部２６０２、筐体２
６０３、外部接続ポート２６０４、リモコン受信部２６０５、受像部２６０６、バッテリ
ー２６０７、音声入力部２６０８、操作キー２６０９等を含む。本発明の半導体装置は表
示部２６０２に用いることができる。
【０２２０】
図１４（Ｆ）はモバイルコンピュータであり、本体２３０１、表示部２３０２、スイッ
チ２３０３、操作キー２３０４、赤外線ポート２３０５等を含む。本発明の半導体装置２
３０２に用いることができる。
【０２２１】
図１４（Ｇ）は携帯電話であり、本体２７０１、筐体２７０２、表示部２７０３、音声
入力部２７０４、音声出力部２７０５、操作キー２７０６、外部接続ポート２７０７、ア
ンテナ２７０８等を含む。本発明の半導体装置は表示部２７０３に用いることができる。
【０２２２】
以上の様に、本発明の適用範囲は極めて広く、あらゆる分野の電子機器に用いることが
可能である。
【図１】
0005564551.tif 000002
【図２】
0005564551.tif 000003
【図３】
0005564551.tif 000004
【図４】
0005564551.tif 000005
【図５】
0005564551.tif 000006
【図６】
0005564551.tif 000007
【図７】
0005564551.tif 000008
【図８】
0005564551.tif 000009
【図９】
0005564551.tif 000010
【図１０】
0005564551.tif 000011
【図１１】
0005564551.tif 000012
【図１２】
0005564551.tif 000013
【図１３】
0005564551.tif 000014
【図１４】
0005564551.tif 000015
【図１５】
0005564551.tif 000016
【図１６】
0005564551.tif 000017
【図１７】
0005564551.tif 000018